(57)【要約】【課題】非常に使い勝手の良好な配管用吊りバンドを明らかにする。【解決手段】吊りボルトを回転自在に螺合するナットを有する配管用吊りバンドにおいて、バンドの一方の開放端側を延長して係合部を構成し、この係合部には鍔付きナットを回転自由に配設し、バンドの他方の開放端側は折り戻して係合部を構成し、この係合部に吊りボルトを挿入する開口を用意し、前記鍔付きナットの回転操作によって吊りボルトの下端部が挿入される構成であることを特徴とする配管用吊りバンドである。【選択図】　　図１
2004060800.tif 000002
【特許請求の範囲】
【請求項１】
吊りボルトを回転自在に螺合するナットを有する配管用吊りバンドにおいて、バンドの一方の開放端側を延長して係合部を構成し、この係合部には鍔付きナットを回転自由に配設し、バンドの他方の開放端側は折り戻して係合部を構成し、この係合部に吊りボルトを挿入する開口を用意し、前記鍔付きナットの回転操作によって吊りボルトの下端部が挿入される構成であることを特徴とする配管用吊りバンド。
【請求項２】
配管を抱持する湾曲部を有する１対のバンドを、ヒンジ機構で結合すると共に、一方のバンドの開放端側を延長して係合部を構成し、この係合部には鍔付きナットを回転自由に配設し、他方のバンドの開放端側は折り戻して係合部を構成し、この係合部に吊りボルトを挿入する開口を用意し、前記鍔付きナットの回転操作によって吊りボルトの下端部が挿入される構成であることを特徴とする配管用吊りバンド。
【請求項３】
吊りボルトの下端部が係合部の開口から挿入されバンドの外周面に接触して停止する構成であることを特徴とする請求項１又は２に記載の配管用吊りバンド。
【請求項４】
１対のバンドが、ヒンジ機構により一体的に結合されるか、又はヒンジ機構の部分から分離可能な状態に結合された構成であることを特徴とする請求項２又は３に記載の配管用吊りバンド。
【発明の詳細な説明】
【０００１】
【発明の属する技術分野】
この発明は、水道管或いはガス管などを天井などから吊り下げるのに利用される配管用吊りバンドに関する。
【０００２】
【従来技術】
図３に従って、従来から利用されている一般的な配管用吊りバンドを説明する。
【０００３】
図示のものは、配管８を天井から吊り下げて支持するタイプの配管支持具である。このタイプでは、先端側を天井に固定した吊りボルト１に、回転自在のナット２により高さ調整して、吊り下げ固定したターンバックル３の脚部３Ａ・３Ｂにバンド５Ａ・５Ｂ（ヒンジ機構４によって開閉自在に構成されている）の両端部をボルト６・ナット７により固定することで、配管８を支持する。実際の作業は、先ず、吊りボルト１の天井への取付作業と、配管支持具を利用しての配管８の取付作業とに分けられる。
【０００４】
配管の取付に際しては、ナット７を緩めてボルト６から取り外し、一方の吊りバンド５Ｂをヒンジ機構４により一点鎖線で示すように開放させて、配管８を吊りバンド５Ａの内側に配設してから、外したバンド５Ｂを復帰させ、その端部をボルト６・ナット７で固定する作業が行われる。
【０００５】
配管８を抱持する際に、バンド５Ｂは既にボルト６・ナット７から開放状態にあるので、ナット７を取り外せば、仮想線で示す状態から回動させて、配管８を抱持しつつ、その端部の円孔をボルト６に嵌挿させて、次いでナット７を取り付けて締め付けを行うことになる。
【０００６】
上記従来タイプの吊りバンドに対しては、使い勝手の改善、片手での操作性、或いは製造コストの低廉化などを目的とした種々の改善が提案されている。改善提案の１つとして図４に示すものがある。これは、実公平３−１３０２２号公報に記載されているものであるが、図３に記載した従来例におけるターンバックル３を省略した点に大きな特徴がある。ターンバックルを省略したことから、吊りバンド５Ａと吊りバンド５Ｂの端部を吊りボルト１に直接係合させることになる。このため、吊りバンド５Ａと吊りバンド５Ｂの夫々の端部には、かしめナット２Ａ・２Ｂを配設した取付部５Ｃ・５Ｄが用意されている。
【０００７】
【発明が解決しようとする課題】
図４に示されている吊りバンドを利用するには、先ず、天井等から吊り下げられた吊りボルト１の下方から取付部５Ｃのかしめナット２Ａを嵌挿してから回転させ、取付部５Ｃを上昇させる。次いで、蝶番４Ａの位置からぶら下がり状態にある吊りバンド５Ｂを引き上げて、配管８を抱持させた状態とし、上記操作と同様に、かしめナット２Ｂを吊りボルト１に嵌挿・回転させる。この蝶番式吊りバンドでは、図３に示す従来例と異なり、ターンバックル３を省略しているので、吊りバンド５Ａと吊りバンド５Ｂとが、配管８を締め付ける方向に作用させるためには、かしめナット２Ａと２Ｂとを別々に回転操作する必要がある。
【０００８】
即ち、図４に示す状態からかしめナット２Ａを回転させれば、吊りボルト１とかしめナット２Ｂの位置関係は変動することなしに、吊りボルト１に対する取付部５Ｃの位置だけが上昇することになる。この結果、吊りバンド５Ａと５Ｂは、配管８の周面を緊締するように、図面上の時計方向に引っ張られることになる。
【０００９】
上記した蝶番式吊りバンドでは、吊りバンド５Ａの上方で、取付部５Ｃに連続するコーナー部分、及び、吊りバンド５Ｂの上方で、取付部５Ｄに連続するコーナー部分が共に湾曲しているので、特に前者のコーナー部分が、かしめナット２Ａだけの回転操作によって変形を受け易く、配管８の外周面に対する緊締が緩み易い傾向がある。
【００１０】
また、上記の吊りバンドでは、吊りボルト１に取り付ける際に、吊りバンド５Ａの側のかしめナット２Ａだけでなく、吊りバンド５Ｂの側のかしめナット２Ｂをも操作する必要があるので、使い勝手に支障がある。
【００１１】
本発明は、上記に鑑み、非常に使い勝手の良好な配管用吊りバンドを明らかにすることを課題とする。
【００１２】
【課題を解決するための手段】
上記課題は、下記構成によって達成される。
１．吊りボルトを回転自在に螺合するナットを有する配管用吊りバンドにおいて、バンドの一方の開放端側を延長して係合部を構成し、この係合部には鍔付きナットを回転自由に配設し、バンドの他方の開放端側は折り戻して係合部を構成し、この係合部に吊りボルトを挿入する開口を用意し、前記鍔付きナットの回転操作によって吊りボルトの下端部が挿入される構成であることを特徴とする配管用吊りバンド。
【００１３】
２．配管を抱持する湾曲部を有する１対のバンドを、ヒンジ機構で結合すると共に、一方のバンドの開放端側を延長して係合部を構成し、この係合部には鍔付きナットを回転自由に配設し、他方のバンドの開放端側は折り戻して係合部を構成し、この係合部に吊りボルトを挿入する開口を用意し、前記鍔付きナットの回転操作によって吊りボルトの下端部が挿入される構成であることを特徴とする配管用吊りバンド。
【００１４】
３．吊りボルトの下端部が係合部の開口から挿入されバンドの外周面に接触して停止する構成であることを特徴とする前記１又は２に記載の配管用吊りバンド。
【００１５】
４．１対のバンドが、ヒンジ機構により一体的に結合されるか、又はヒンジ機構の部分から分離可能な状態に結合された構成であることを特徴とする前記２又は３に記載の配管用吊りバンド。
【００１６】
【発明の実施の形態】
図１及び図２に従って、本発明に係る配管用吊りバンドの実施例を説明する。図示の実施例では、湾曲部により配管５の外周面を緊締するバンドを、Ａバンド２３とＢバンド２４とに分割して構成し、ヒンジ機構４０によって一体化する。
【００１７】
ヒンジ機構４０としては、軸棒部分に取り付ける常時固定式の方式の外、軸棒を配設しない方式、或いはフック方式などにより合体・解体が容易である方式など、公知の構成を特別の制限なく採用することができる。
【００１８】
上記から自明であるように、Ｂバンド２４は、配管５０が存在しない未使用のときは、実線で示す状態から、仮想線で示す状態まで可動である。
また、ヒンジ機構４０を設ける位置は、図１に示すような側方やや下部に限定されるものではなく、図４に示すような下端位置であってもよいし、真横などであってもよい。或いはステンレスの如き柔軟性のある金属や合成樹脂製とした場合、バンド自体で開閉できるので、ヒンジ機構なしのバンドとしてもよい。
【００１９】
さて、Ａバンド２３の開放端は接線状に延長され、端部に係合部２１が形成される。係合部２１の平面に設けられている開口を通して鍔付きナット３０が回転自在に挿通され、鍔部３１の下面が、係合部２１の先端側の折り返し部２２によって押さえられている。この結果、鍔付きナット３０は、係合部２１の開口で自由に回転されるが吊りボルト１０から取り外した状態でも、係合部２１から脱落することがない。尚、折り返し部２２は、係合部２１の先端の全部を折り返してもよいし、一部分を折り返してもよい。
【００２０】
鍔付きナット３０を、回転自由な状態で係合部２１の平面部に配設する手法は図示の態様に限定されるものではない。また、鍔付きナット３０に代えて、かしめナットを利用し、回動自由とするために、緩やかにかしめ止めするなど、公知の構成を特別の制限なく採用してよい。
【００２１】
他方、Ｂバンド２４の開放端は折り戻されて、係合部２５が形成される。係合部２５の平面部には吊りボルト１０を挿通させるための開口２６が用意される。この開口２６は、真円の所謂馬鹿穴であってもよいが、取り付ける際の使い勝手を考慮すると、長孔であることが好ましい。
【００２２】
図２は、使用状態を示している。この状態に至る手順を説明すると、先ず、Ｂバンド２４をヒンジ機構４０の部分から開いた状態で、Ａバンド２３側の係合部２１に用意されている鍔付きナット３０を、天井から吊り下げられた吊りボルト１０の下端側から嵌挿して一定量回転する。この状態では、吊りバンドの全体が鍔付きナット３０を介して吊りボルト１０に吊り下げられた状態となる。
【００２３】
次に、配管５０を抱持する状態で、Ｂバンド２４を回動させ、係合部２５の開口を吊りボルト１０の下端に直面させ、この状態を保ったまま、鍔付きナット３０を回転させる。すると、係合部２１は吊りボルト１０の上方側に移動し、吊りボルト１０の下端は係合部２５の開口２６を突き抜けて、図示の如く、Ｂバンド２４の外周面に接触して停止する。更に鍔付きナット３０を回転させると、Ａバンド２３は上方に引っ張られ、同時にＢバンド２４も配管５０の外周面を緊締するように変形しながら引っ張られる。鍔付きナット３０の回転（操作）は、Ａバンド２３とＢバンド２４の湾曲部の内周面が配管４０の外周面に完全に接触する状態に至って停止されると、配管が緊締されることとなる。
【００２４】
係合部２５の吊りボルト１０に対する取り付け深さは、図２に示すＬ１であり、この深さは不変であって、鍔付きナット３０の回転量による係合部２１の取り付け深さＬ２の変動によっても変わらない。また、Ｌ２が最大となった状態でも、Ｂバンド２４の端部の係合部２５への立ち上がり部に変形が生じることがない。
【００２５】
本発明に係る配管用吊りバンドでは、特に、Ｂバンド２４の開放端側を吊りボルト１０に取り付けるのに、係合部２５に用意されている開口２６に対して吊りボルト１０の下端を挿入させるだけでよいので、ほとんど、鍔付きナット３０を吊りボルト１０の下端側から嵌挿して回転操作するだけとも云える簡単な操作によって、配管を取り付けることが可能であるから、非常に使い勝手が良好である。
【００２６】
尚、本実施例によれば、次の効果がある。即ち、Ａバンド２３では、開放端側が接線状に伸びて係合部２１に連結される構成にすることで、Ａバンド２３と係合部２１との間が変形を受けることがなく、配管５０に対する緊締が緩むことがない。
【００２７】
尚また、図３に示す従来例と比較すると、ターンバックル３、ボルト６、ナット７が不要であり、また、図４に示す従来例と比較すると、かしめナット２Ｂが不要であるから、部品点数の減少による製造コストの低廉化が可能である。
【００２８】
更に、図４に示した従来例と機能の面で比較すると、上記したように、Ａバンド２３と係合部２１との間が変形を受けることがないので、配管５０に対する緊締が緩むことがない、と云う優れた機能の改善が認められる。
【００２９】
【発明の効果】
本発明に係る配管用吊りバンドによれば、図４に示す従来例と使い勝手の点で比較すると、上記したように、ほとんど、回転自在の鍔付きナットを吊りボルトの下端側から嵌挿して回転操作するだけとも云える簡単な操作によって、配管を取り付けることが可能であるから使い勝手の大幅な改善となる。
【図面の簡単な説明】
【図１】本発明に係る配管用吊りバンドの一実施例を示す正面図
【図２】本発明に係る配管用吊りバンドの使用状態を示す正面図
【図３】従来の配管用吊りバンドの１例を示す正面図
【図４】従来の配管用吊りバンドの他の例を示す正面図
【符号の説明】
１０−吊りボルト
２０−バンド
２１−係合部
２２−折り返し部
２５−係合部
２６−開口
３０−鍔付きナット
３１−鍔部
４０−ヒンジ機構
５０−配管
【図１】
2004060800.tif 000003
【図２】
2004060800.tif 000004
【図３】
2004060800.tif 000005
【図４】
2004060800.tif 000006